(57)【要約】【課題】点灯回路に対して設計の変更を殆ど加えることなく、電力線搬送技術によって動作状態を他装置に通知可能な照明装置を提供する。【解決手段】照明装置Ａは、ランプ５を点灯させる点灯回路１の他に、電力線搬送技術を利用して商用電源７よりも周波数の高い伝送信号を監視装置Ｂに送信する通信回路２を備える。すなわち、電力線３が伝送信号の伝送路となるから、照明装置Ａは、伝送信号の周波数に対する電力線３のインピーダンスを確保するために、電力線３と点灯回路１との間に挿入されるインダクタＬ１を有する。インダクタＬ１は検出用巻線ｎ２となる２次巻線を備えており、照明装置Ａは、検出用巻線ｎ２の出力を用いて点灯回路１およびランプ５の動作状態を検出する検出回路６を備える。検出回路６は、通信回路２を通して動作状態に基づく検出情報を伝送信号により監視装置Ｂに通知する。【選択図】図１
2005063844.tif 000002
【特許請求の範囲】
【請求項１】
商用電源の電力線から電源が供給されランプを点灯させる点灯回路と、商用電源よりも周波数の高い伝送信号を商用電源に重畳させ電力線を介して他装置に送信する機能を有する通信回路と、電力線と点灯回路との間に挿入され伝送信号を阻止するとともに２次巻線を備えるインダクタと、インダクタの２次巻線の出力を用いて点灯回路およびランプの動作状態を検出し通信回路を通して動作状態に基づく検出情報を伝送信号により他装置に送信する検出回路とを備えることを特徴とする照明装置。
【請求項２】
前記検出回路と前記通信回路との間に挿入され動作状態に基づく検出情報を前記点灯回路への通電開始から所定の不感時間だけ無効にする制御回路を有することを特徴とする請求項１記載の照明装置。
【請求項３】
前記不感時間は、前記点灯回路への通電開始から前記ランプが安定点灯に達するまでの時間であることを特徴とする請求項２記載の照明装置。
【請求項４】
前記電力線に前記インダクタを介して接続されインダクタとともに前記伝送信号を阻止するローパスフィルタを構成するコンデンサを備えることを特徴とする請求項１ないし請求項３のいずれか１項に記載の照明装置。
【発明の詳細な説明】
【技術分野】
【０００１】
本発明は、点灯回路の動作状態を他装置に通知可能な照明装置に関するものである。
【背景技術】
【０００２】
従来から、放電灯のようなランプを点灯させる点灯回路には、ランプおよび点灯回路の動作状態を検出する機能を備えるものがある。ここに、点灯回路の保護のために、動作状態とは、ランプが点灯または消灯している正常な動作状態の他に、ランプが不点状態になるランプ切れや半波点灯状態になる所謂エミレス等の異常な動作状態も含む。これらの動作状態を検出すれば、動作状態から、ランプ切れ、エミレス、消費電力、累積点灯時間、点灯回路の寿命といった種々情報（つまり、メンテナンスに関わる情報）を得ることができる。
【０００３】
ところで、照明装置の設置条件に係らず容易に照明装置の動作状態を監視するために、遠方から照明装置の動作状態を監視する技術が要望されている。とくに、複数台の照明装置を設けている場合には、個々の照明装置について動作状態を検出するのは手間が掛かるから、通信技術を用いて遠方から照明装置の動作状態を監視する技術が要求される。
【０００４】
一方、通信技術を用いた照明装置として、点灯回路に電源供給する商用電源の電力線を伝送路に用いる電力線搬送技術を採用し他装置からの伝送信号を受信することにより点灯回路の動作が制御されるものは知られている。この照明装置は、図１１に示すように、放電ランプのようなランプ５を点灯させる点灯回路１の他に、他装置から伝送信号を受信して点灯回路１の動作を制御する通信回路２を備える。点灯回路１と通信回路２とはともにが夫々電力線３に接続される（たとえば、特許文献１参照）。
【特許文献１】特開平８−９８２７７号公報（第３−４頁、図１）
【発明の開示】
【発明が解決しようとする課題】
【０００５】
ところで、通信技術を用いて遠方から照明装置の動作状態を監視するために、特許文献１に記載された照明装置の点灯回路１において、上述したような保護機能として点灯回路に設けた動作状態の検出機能を利用することが考えられる。しかし、特許文献１に記載された照明装置は、遠方から点灯回路１を制御することが目的であって、遠方から動作状態を監視するという発想が存在しないものであるから、検出した動作状態を外部に取り出す機能はなく、仮に、特許文献１に記載の照明装置における通信回路２を送信可能にするとしても、動作状態の検出結果を取り出すための出力端子を設けた専用の点灯回路を新規に設計し製造することになるから、高コストになる。
【０００６】
ところで、電力線搬送技術においては、電力線３に接続される他の機器（例えば、インバータを用いた空気調節機や照明機器や、コンピュータ等の電子機器）に設けられた進相用コンデンサや電源部の雑音防止用のコンデンサ等が、電力線３のインピーダンスを低下させることによって、電力線３における信号伝送特性が劣化する可能性がある。電力線３の信号伝送特性が劣化すると、電力線３を伝送路とする伝送信号のエラーレートが増加する。そこで、電力線搬送技術においては、商用電源よりも周波数の高い伝送信号に対する電力線３のインピーダンスを確保するために、電力線３と点灯回路１との間に挿入されるインダクタＬ１を有するローパスフィルタ４を備えている。本発明は、インダクタＬ１に流れる電流はランプ５を点灯させる点灯回路１への供給電流であることに着目し、インダクタＬ１に流れる電流を監視することにより照明装置の動作状態を監視する構成を採用する。
【０００７】
本発明は上記事由に鑑みて為されたものであって、点灯回路に対して設計の変更を殆ど加えることなく、電力線搬送技術によって点灯回路およびランプの動作状態を他装置に通知可能な照明装置を提供することを目的とする。
【課題を解決するための手段】
【０００８】
請求項１の発明は、商用電源の電力線から電源が供給されランプを点灯させる点灯回路と、商用電源よりも周波数の高い伝送信号を商用電源に重畳させ電力線を介して他装置としての監視装置に送信する機能を有する通信回路と、電力線と点灯回路との間に挿入され伝送信号を阻止するとともに２次巻線を備えるインダクタと、インダクタの２次巻線を検出用巻線として検出用巻線の出力を用いて点灯回路およびランプの動作状態を検出し通信回路を通して動作状態に基づく検出情報を伝送信号により他装置に送信する検出回路とを備えることを特徴とする。
【０００９】
この構成によれば、伝送信号を阻止するために電力線と点灯回路との間に挿入されたインダクタに２次巻線を設けて、インダクタに流れる電流を２次巻線出力として監視しているから、点灯回路に対して設計の変更を加えることなく、点灯回路およびランプの動作状態の検出が可能になる。その結果、点灯回路を新規に設計し製造することなく、２次巻線を備えるインダクタと通信回路とを付加する程度の変更で、コスト増を抑制しながらも、動作状態を遠方から監視することが可能になる。
【００１０】
また、請求項２の発明は、請求項１の発明において、前記検出回路と前記通信回路との間に挿入され動作状態に基づく検出情報を前記点灯回路への通電開始から所定の不感時間だけ無効にする制御回路を有することを特徴とする。
【００１１】
この構成によれば、通電開始直後であって動作状態が安定していない期間の検出情報を無効にするから、他装置に誤った情報を伝送するのを防止できる。また、不感時間を適宜に設定することで検出情報の送信を開始するタイミングを決めることができる。
【００１２】
また、請求項３の発明は、請求項２の発明において、前記不感時間が、前記点灯回路への通電開始から前記ランプが安定点灯に達するまでの時間であることを特徴とする。
【００１３】
一般に、ランプが安定点灯に達するまでの期間は、ランプが安定点灯する期間に比べて点灯回路の発生するノイズレベルが高く電力線の信号伝送特性が悪いので電力線を伝送路とする伝送信号のエラーレートが高いことが知られているが、この構成によれば、ランプが安定点灯し伝送信号のエラーレートが低くなった後に動作状態を通知するから、動作状態の通知誤りを防ぐことができる。
【００１４】
また、請求項４の発明は、請求項１ないし請求項３のいずれかの発明において、前記電力線に前記インダクタを介して接続されインダクタとともに前記伝送信号を阻止するローパスフィルタを構成するコンデンサを備えることを特徴とする。
【００１５】
この構成によれば、コンデンサとインダクタとでローパスフィルタを構成するから、伝送信号が点灯回路に混入して誤動作の原因となるのを防止できる。
【発明の効果】
【００１６】
本発明は、伝送信号を阻止するために電力線と点灯回路との間に挿入されたインダクタに２次巻線を設けて、インダクタに流れる電流を２次巻線出力として監視しているから、点灯回路に対して設計の変更を加えることなく、点灯回路およびランプの動作状態の検出が可能になる。その結果、点灯回路を新規に設計し製造することなく、２次巻線を備えるインダクタと通信回路とを付加する程度の変更で、コスト増を抑制しながらも、動作状態を遠方から監視することが可能になる。
【発明を実施するための最良の形態】
【００１７】
以下、本発明を実施するための最良の形態を図面を参照して説明する。
（実施形態１）
本実施形態の照明装置Ａは、図１に示すように、照明装置Ａの動作状態を監視し表示する機能を有した他装置としての監視装置Ｂとともに商用電源７の電力線３に接続される。図１では、監視装置Ｂが複数台の照明装置Ａの動作状態を監視する例を示す。
【００１８】
各照明装置Ａは、商用電源７が供給されるとともに商用電源７を整流して出力する電源回路１１と、電源回路１１からの電源供給を受けて高周波を出力し放電ランプであるランプ５を点灯させるインバータ回路１２と、インバータ回路１２の動作を制御するインバータ制御回路１３とで構成される点灯回路１を夫々備える。図に示していないが、点灯回路１は、従来構成と同様に、点灯回路１の保護のために点灯回路１およびランプ５の動作状態を検出する機能を備える。また、各照明装置Ａは、電力線３に接続され商用電源７より高い周波数の伝送信号を商用電源７に重畳させて監視装置Ｂに送信する電力線搬送技術を利用した通信回路２を夫々備える。本実施形態では、照明装置Ａが照明器具を構成している例を示す。
【００１９】
照明装置Ａは、電力線３を伝送路とする電力線搬送技術を利用した通信回路２を備えるものであるから、伝送信号の周波数に対する電力線３のインピーダンスを確保するために、電力線３と点灯回路１との間にはインダクタＬ１が挿入されている。本実施形態で用いるインダクタＬ１は２次巻線としての検出用巻線ｎ２を備えてトランスを構成している。インダクタＬ１の１次巻線ｎ１に流れる電流Ｉ１は点灯回路１に供給される電流Ｉ１であるから、インダクタＬ１の１次巻線ｎ１を流れる電流Ｉ１を検出することによって照明装置Ａの動作状態を監視できる。そこで、照明装置Ａは、検出用巻線ｎ２の出力を検出する検出回路６を備える。検出回路６の出力端子は、入力信号を受けて伝送信号の送信を開始する通信回路２の制御端子ｃｏｎに接続される。
【００２０】
この構成によって、通信回路２の制御端子ｃｏｎに検出回路６の検出結果が入力されると、通信回路２は照明装置Ａの動作状態を伝送信号によって監視装置Ｂに送信し、監視装置Ｂに照明装置Ａにおける点灯回路１およびランプ５の点灯・消灯やランプ切れやエミレス等の動作状態が表示される。
【００２１】
検出回路６は、具体的には図２に示すように、検出用巻線ｎ２の両端に直列に接続されるダイオードＤ１と抵抗Ｒ２と抵抗Ｒ３とを備え、抵抗Ｒ３に並列にコンデンサＣ２が接続され、コンデンサＣ２の両端電圧（以下、監視電圧Ｖｗと称する）としきい値電圧ＶｒｅｆとをコンパレータＣＰ１が比較する構成を有する。さらに、コンパレータＣＰ１の出力端子は通信回路２の制御端子ｃｏｎに接続され、監視電圧Ｖｗがしきい値電圧Ｖｒｅｆを下回る期間にコンパレータＣＰ１がアクティブになって通信回路２の制御端子ｃｏｎをアクティブにする。ここで、アクティブ・非アクティブはＨレベル・Ｌレベルの２値の信号に夫々対応付けられており、以下ではアクティブをＨレベルとして説明するが、逆にアクティブをＬレベルとしてもよい。
【００２２】
次に、照明装置Ａの動作状態が、ランプ５が点灯している正常な状態と、ランプ５が不点状態になるランプ切れの状態との夫々にある場合を例として、照明装置Ａの動作を説明する。まず、ランプ５が点灯している正常な動作状態にある場合に、点灯回路１には電流Ｉ１が供給されるから、図３（ａ）に示すように、監視電圧Ｖｗがしきい値電圧Ｖｒｅｆより大きい。その結果、コンパレータＣＰ１の出力ＸはＬレベルであって、当然、通信回路２の制御端子ｃｏｎもＬレベルである。これに対して、ランプ切れの動作状態になると、点灯回路１を保護する機能によってインバータ回路１２の発振が停止し点灯回路１に電流が供給されないから、図３（ｂ）に示すように、監視電圧Ｖｗが略ゼロとなりしきい値電圧Ｖｒｅｆを下回る。その結果、コンパレータＣＰ１の出力ＸがＨレベルになって、通信回路２の制御端子ｃｏｎもＨレベルになるから、動作状態は通信回路１から伝送信号により監視装置Ｂに送信され監視装置Ｂに「ランプ切れ」の動作状態が表示される。
【００２３】
なお、電力線３には、照明装置Ａおよび監視装置Ｂの他に、人感センサや照度センサ等のセンサ端未Ｃが接続され、監視装置Ｂは、照明装置Ａグループおよびセンサ端末Ｃの設定を表示する機能も有する。さらに、監視装置Ｂは、電力線３に接続され伝送信号を受信し動作状態として出力する監視用通信回路２’と、監視用通信回路２’の出力を受けて動作状態を表示するディスプレイ８とで構成される。監視用通信回路２’は、電力線３に接続される図示しない他の機器が発生するノイズの影響を受け難いように抵抗Ｒ１’とコンデンサＣ１’との並列回路を介して電力線３に１次側が接続される結合用トランスＴ１’と、結合用トランスＴ１’の２次側に接続される監視用通信主回路２１’とで構成される。また、照明装置Ａの通信回路２も同様であって、電力線３に対して抵抗Ｒ１とコンデンサＲ２との並列回路を介して１次側が接続される結合用トランスＴ１と、結合用トランスＴ１の２次側に接続され制御端子ｃｏｎを有する通信主回路２１とで構成される。通信回路２および監視用通信回路２’は、送信機能と受信機能との両方を夫々に備えるものであってもよく、その場合、監視装置Ｂによって各照明装置Ａを夫々遠隔制御することも可能である。
（実施形態２）
照明装置Ａにおいて、点灯回路１がインバータ回路１２の動作を制御するインバータ制御回路１３を備えることは上述した通りである。
【００２４】
本実施形態の照明装置Ａは、図４に示すように、実施形態１の照明装置Ａに対してインバータ制御回路１３にタイマー（図示せず）を内蔵するとともにインバータ制御回路１３のタイマー出力Ｙとコンパレータの出力との論理積をとる制御回路として論理積回路ＡＮ１を付加した点が実施形態１と相違する。ここで、通信主回路２１の制御端子ｃｏｎには、コンパレータＣＰ１の出力端子に代えて論理積回路ＡＮ１の出力端子が接続される。
【００２５】
インバータ制御回路１３に内蔵されたタイマーは、点灯回路１への通電開始から所定の不感時間ｔｓをカウントする。インバータ制御回路１３のタイマー出力Ｙは、タイマーが不感時間ｔｓをカウントする期間中にＬレベルであって、対して、タイマーが不感時間ｔｓをカウントアップするとＨレベルになる。不感時間ｔｓは設計時において適宜に設定される。
【００２６】
ランプ５が不点状態になるランプ切れの動作状態を例として、本実施形態の動作を説明する。点灯回路１に通電を開始してランプ切れの動作状態であると、図５（ａ）に示す監視電圧Ｖｗは略ゼロであって、図５（ｂ）に示すコンパレータＣＰ１の出力ＸがＨレベルである。しかし、点灯回路１への通電開始から不感時間ｔｓの間は、図５（ｃ）に示すタイマー出力ＹがＬレベルであるから、論理積回路ＡＮ１の出力はＬレベルである。一方、点灯回路１への通電開始から不感時間ｔｓが経過すると、図５（ｄ）に示すタイマー出力ＹはＨレベルになるから、コンパレータＣＰ１の出力ＸがＨレベルであれば、論理積回路ＡＮ１の出力はＨレベルになる。要するに、ランプ切れの動作状態であって且つ点灯回路１への通電開始から不感時間ｔｓだけ経過した場合に、通信主回路２１の制御端子ｃｏｎがＨレベルになるから、監視装置Ｂに動作状態が通知されディスプレイ８に「ランプ切れ」の動作状態が表示される。対して、点灯回路１への通電開始から不感時間ｔｓの間は、動作状態に係らず監視装置Ｂに動作状態が通知されることがない。
【００２７】
ところで、ランプ５が熱陰極型の放電ランプである場合に、点灯回路１への通電開始からランプ５が安定点灯に達するまでに、点灯回路１は、予熱モード、始動モード、点灯モードの順に推移する３つの動作状態で動作し、点灯モードの期間にランプ５が安定点灯する。点灯回路１は、これら３つの動作状態によってランプ５に印加する電圧Ｖｌａが夫々異なる。点灯回路１がランプ５に印加する電圧Ｖｌａは、図６に示すように、図中ａで示す予熱モードの期間または図中ｃで示す点灯モードの期間のいずれより図中ｂで示す始動モード期間に大きくなる。すなわち、３つの動作状態の中で、始動モードの期間に点灯回路１がランプ５に印加する電圧Ｖｌａが最大であるから、始動モードの期間には伝送信号に対するノイズレベルが大きい。
【００２８】
そこで、上述した不感時間ｔｓを点灯回路１への通電開始から点灯モードへ移行するまでの時間とすれば、点灯回路１が予熱モードまたは始動モードの期間には監視装置Ｂへの動作状態の通知を停止し、点灯回路１が点灯モードの期間に動作状態を監視装置Ｂに通知する。したがって、照明装置Ａが動作状態を監視装置Ｂに通知する際のノイズレベルを小さくできる。その他の構成および機能は実施形態１と同様である。
（実施形態３）
本実施形態では、図７に示すように、電源回路１１がチョッパ回路ＣＨを内蔵する例を示す。
【００２９】
電源回路１１は、具体的には、インダクタＬ１を介して電力線３に接続される整流器ＤＢを備え、整流器ＤＢの出力端間に、昇圧用インダクタＬ３とスイッチング素子Ｑ１との直列回路が昇圧用インダクタＬ３を正極に接続する形で接続され、スイッチング素子Ｑ１の両端に、平滑用のコンデンサＣ３と逆流防止用のダイオードＤ２との直列回路がダイオードＤ２のアノードを昇圧用インダクタＬ３に接続する形で接続されてチョッパ回路ＣＨを構成する。一般に、コンデンサＣ３には電解コンデンサが用いられる。コンデンサＣ３の両端は電源回路１１の出力端としてインバータ回路１２に接続され、一方、点灯回路１の入力端である整流器ＤＢの入力端間には、インダクタＬ１とともにローパスフィルタ４を構成するコンデンサＣ４が接続される。ローパスフィルタ４は、伝送信号を阻止し、且つ商用電源７を通過させるように設計される。また、インバータ制御回路は、インバータ回路を制御するだけでなく、スイッチング素子Ｑ１のオンオフ制御をする機能を有する。
【００３０】
ところで、本実施形態では、点灯回路１の寿命をコンデンサＣ３の容量抜けによって判断する点に特徴がある。まず、点灯回路１へ通電している期間において、設計者が設定する所定のタイミングで、設計者が設定する所定のオフ時間ｔｏｆｆだけスイッチング素子Ｑ１をインバータ制御回路１３によってオフに保持する。
【００３１】
スイッチング素子Ｑ１がオフに保持されることによって、電源回路１１はコンデンサインプット形の電源回路となるので、コンデンサＣ３に容量抜けが生じていない正常な動作状態においては、コンデンサＣ３の両端電圧Ｖｃの波形は、図８（ａ）に示すように、略一定の電圧にリップル電圧を重畳した波形である。その結果、電源回路１１への供給電流Ｉ１すなわち図８（ｃ）に示す点灯回路１への供給電流Ｉ１が半値幅の小さい波形であるから、検出用巻線ｎ２に生じる電流は大きく、図８（ｅ）に示す監視電圧Ｖｗがしきい値電圧Ｖｒｅｆより大きい。対して、コンデンサＣ３に容量抜けが生じている異常な動作状態においては、コンデンサＣ３の両端電圧Ｖｃの波形は、図８（ｂ）に示すように、交流電圧が半波整流されただけの波形に近い。その結果、図８（ｄ）に示す点灯回路１への供給電流Ｉ１が半値幅の大きい波形であるので、検出用巻線ｎ２に生じる電流は小さく、図８（ｆ）に示す監視電圧Ｖｗがしきい値電圧Ｖｒｅｆを下回る。
【００３２】
したがって、コンデンサＣ３に容量抜けが生じていない正常な動作状態には、コンパレータＣＰ１の出力ＸがＬレベルであって、コンデンサＣ３に容量抜けが生じてコンデンサＣ３の容量が一定の容量値（すなわち、監視電圧Ｖｗをしきい値電圧Ｖｒｅｆと等しくする容量値）を下回ると、コンパレータＣＰ１の出力ＸがＨレベルになる。その結果、コンデンサＣ３に容量抜けが生じている異常な動作状態には、動作状態が通信主回路２１から伝送信号により監視装置Ｂに送信されディスプレイ８に「容量抜け」の動作状態が表示される。その他の構成および機能は実施形態１と同様である。
（実施形態４）
本実施形態の照明装置Ａは、図９に示すように、実施形態３の照明装置Ａに対して電力線３と点灯回路１との間に挿入されコンパレータＣＰ１の出力Ｘによってオンオフされる３端子双方向サイリスタからなるスイッチング要素Ｑ２を付加した点が実施形態３と相違する。この照明装置Ａにおいて、スイッチング要素Ｑ２は、コンパレータＣＰ１の出力ＸがＨレベルの期間にオフされるように制御されるものであって、例えばコンデンサＣ３に容量抜けが生じた場合に、照明装置Ａは、監視装置Ｂに「容量抜け」の動作状態を通知すると同時にスイッチング要素Ｑ２をオフする。
【００３３】
この構成によって、点灯回路１に保護機能として設けられた検出手段では検出できないコンデンサＣ３の容量抜け等の異常な動作状態に対しても、異常な動作状態を検出すると同時に点灯回路１への電源の供給を停止するので、異常な動作状態に対して照明装置Ａを保護することができる。
【００３４】
また、上述した構成によって容量抜けの動作状態に対して照明装置Ａを保護する場合に、コンデンサＣ３の容量抜けを検出する期間（すなわち、スイッチング素子Ｑ１をオフにするオフ時間ｔｏｆｆ）を点灯回路１が予熱モードの期間（図８にａで示す）に設定すれば、点灯回路１が始動モードの期間（図８にｂで示す）に部品にストレスが印加されることを防止できる。
【００３５】
なお、スイッチング要素Ｑ２を用いなくとも、図１０に示すように、コンパレータＣＰ１の出力Ｘをインバータ制御回路１３に入力する構成を採用し、異常な動作状態を検出すると同時にインバータ制御回路１３がインバータ回路１２の発振を停止するようにすれば、同様の効果を奏する。他の構成および機能は実施形態３と同様である。
【図面の簡単な説明】
【００３６】
【図１】本発明の実施形態１を示す回路図である。
【図２】同上の具体回路を示す回路図である。
【図３】同上のコンパレータが比較する電圧の時間変化を示し、（ａ）はランプが点灯している正常な動作状態を示す動作説明図、（ｂ）はランプ切れの動作状態を示す動作説明図である。
【図４】本発明の実施形態２を示す回路図である。
【図５】同上のランプ切れの動作状態を示し、（ａ）、（ｂ）は検出回路の動作説明図、（ｃ）、（ｄ）はタイマー出力の時間変化を示す動作説明図である。
【図６】同上の点灯回路がランプに印加する電圧の時間変化を示す動作説明図である。
【図７】本発明の実施形態３を示す回路図である。
【図８】（ａ）、（ｃ）、（ｅ）は同上のコンデンサに容量抜けが生じていない動作状態を示す動作説明図、（ｂ）、（ｄ）、（ｆ）は同上のコンデンサに容量抜けが生じている動作状態を示す動作説明図である。
【図９】本発明の実施形態４を示す回路図である。
【図１０】同上の他の例を示す回路図である。
【図１１】従来例を示す回路図である。
【符号の説明】
【００３７】
Ａ  照明装置
Ｂ  監視装置（他装置）
１  点灯回路
２  通信回路
３  電力線
４  ローパスフィルタ
５  ランプ
６  検出回路
７  商用電源
Ｌ１  インダクタ
ｎ２  検出用巻線（インダクタの２次巻線）
ＡＮ１  論理積回路（制御回路）
Ｃ４  コンデンサ
【図１】
2005063844.tif 000003
【図２】
2005063844.tif 000004
【図３】
2005063844.tif 000005
【図４】
2005063844.tif 000006
【図５】
2005063844.tif 000007
【図６】
2005063844.tif 000008
【図７】
2005063844.tif 000009
【図８】
2005063844.tif 000010
【図９】
2005063844.tif 000011
【図１０】
2005063844.tif 000012
【図１１】
2005063844.tif 000013